(57)【要約】  例えばＬＣ／ＭＳでは、分析データに基づき、ＬＣクロマトグラム、ＭＳクロマトグラム、ＭＳスペクトルから成る三種類の図形データ（「グラフ」と呼ぶ）を互いに比較し合うことにより、具体的な解析を行う必要がある。従来は複数のグラフを、ユーザの目的に合わせて一つのモニタ上に並べて表示させながら比較することが行われてきた。しかし、一旦作業を終了して再度グラフを表示させる際などに表示形態が保持されず、ユーザは毎回手作業でレイアウトを所望のものに直す必要があり、面倒であった。本発明のデータ解析システムは本問題を解決するために成されたものであり、モニタ上に表示する複数のグラフの種類と該各グラフの表示位置とを含むレイアウト情報を記憶するレイアウト記憶部を設け、グラフを表示させる際にそのレイアウト情報を参照する。
2009025004.tif 000002
【特許請求の範囲】
【請求項１】
分析データに基づく複数のグラフをモニタ上に並べて表示する機能を有するデータ解析システムであって、
少なくともモニタ上に表示する複数のグラフの種類と該各グラフの表示位置とを含むレイアウト情報を記憶するレイアウト記憶部と、
グラフ表示指示の入力に基づき又は所定のタイミングで以て、前記レイアウト情報に基づき、分析データのグラフをモニタ上に表示するグラフ表示部と、
レイアウト変更指示の入力に基づき、モニタ上に表示するグラフの種類及び／又は該各グラフの表示位置を変更するレイアウト変更部と、
レイアウト記憶指示の入力に基づき又は所定のタイミングで以て、少なくともモニタ上に表示されているグラフの種類と各グラフの表示位置とをレイアウト情報として前記レイアウト記憶部に保存するレイアウト保存部と、
を備えることを特徴とするデータ解析システム。
【請求項２】
複数データ表示指示の入力に基づき又は所定のタイミングで以て、分析データに基づく複数のグラフを複数の分析データに関して前記モニタ上に並べて表示する複数データ表示部
を更に備えることを特徴とする請求項１に記載のデータ解析システム。
【請求項３】
前記複数データ表示部が、単一の分析データに関するレイアウト情報に基づき、分析データに基づく複数のグラフを複数の分析データに関してモニタ上に並べて表示する
ことを特徴とする請求項２に記載のデータ解析システム。
【請求項４】
前記レイアウト記憶部に保存されているレイアウト情報が、更に、グラフの種類間の関連情報を有しており、
モニタ上に表示されている一つのグラフに関して表示形態変更指示が入力されたことに基づき、該グラフの表示形態を変更するとともに、前記レイアウト情報を参照し、モニタ上に表示されている他の関連するグラフの表示形態を連動変更する表示形態連動変更部
を更に備えることを特徴とする請求項１〜３のいずれかに記載のデータ解析システム。
【請求項５】
モニタ上に表示されている一又は複数のグラフに関して連動停止指示が付与されている場合には、前記表示形態連動変更部は、該連動停止指示が付与されたグラフを除いたグラフの表示形態を連動変更する
ことを特徴とする請求項４に記載のデータ解析システム。
【発明の詳細な説明】
【技術分野】
【０００１】
本発明はデータ解析システムに関する。詳細には、分析装置や測定装置等によって得られた分析データを図形的にモニタに表示させる機能を備えたデータ解析システムに関する。
なお、本発明においては、クロマトグラム、スペクトル、等高線といった、ユーザが視覚的に理解できる形態で図形表示されたデータを総称して「グラフ」と呼ぶものとする。
【背景技術】
【０００２】
ＬＣ（液体クロマトグラフ）、ＧＣ（ガスクロマトグラフ）、ＬＣ／ＭＳ（液体クロマトグラフ質量分析計）、ＧＣ／ＭＳ（ガスクロマトグラフ質量分析計）といった分析装置では、分析自体を行う分析部に対して、その分析部によって取得される分析データに基づく解析を行うデータ解析部（データ解析システム）が接続されており、このデータ解析部によって分析結果としてのクロマトグラムやスペクトル等が得られる。【０００３】
データ解析部は通常、所定の解析アプリケーション（プログラム）を実行するコンピュータであって、分析装置と直接接続されている。また、データ解析部と分析装置とはＬＡＮ（Local Area Network）などのデータ通信ネットワークを介してデータ通信可能に接続されていたりすることもある。こういった解析アプリケーションの一例に、非特許文献１に記載のデータ解析アプリケーションがある。このデータ解析アプリケーションはＬＣ／ＭＳの分析結果を解析するための種々の機能を有しており、これらの機能を用いることによってユーザは分析データの解析を簡単且つ効果的に行うことができる。また、このデータ解析アプリケーションではサーバ等の保存領域内に蓄積されている過去の分析結果も参照することが可能であり、複数の分析結果を比較することも出来るようになっている。【０００４】
ところで、例えばＬＣ／ＭＳによる分析を行った後には、ユーザはＬＣクロマトグラムに出現しているピークがＭＳクロマトグラムに存在するか否かを見て、有意と思われるピークが存在していればそのピークに対応するＭＳスペクトルを確認するといった、グラフ同士の比較作業を行う。【０００５】
こういった比較作業が効率良く行えるように、従来のデータ解析システムには一つの画面にＭＳクロマトグラムとＭＳスペクトルとを並べて同時に表示させる機能が備わっているものがある。さらに、例えばＭＳクロマトグラムについて拡大、縮小、表示箇所変更といった表示形態の変更を行うと、同一画面に表示されているＭＳスペクトルの表示形態も連動して変更するという機能を備えるものもある。このような機能を活用することによって、グラフの比較に要する手間や時間が省かれ、作業効率が高まる。【０００６】
【非特許文献１】株式会社島津製作所,"LCMSsolution",[online],[平成19年7月12日検索],インターネット<URL:http://www.an.shimadzu.co.jp/products/lcms/ev/ev4.htm>
【発明の開示】
【発明が解決しようとする課題】
【０００７】
しかし、従来のデータ解析システムには次のような問題があった。
（問題１）モニタ上に複数のグラフを並べて表示させつつ比較作業を行う際には、ユーザは比較を行いやすいように、モニタ上に表示させるグラフの種類やその位置を、つまりレイアウトを変更することがある。しかし、作業を一旦終了した後に再度グラフを表示させたり、別の分析ファイルに関するグラフを表示したりすると、先程表示されていたレイアウトが再現されることがなかった。そのためユーザは再度レイアウトを設定しなおさねばならず、これは非常に面倒であった。【０００８】
（問題２）複数の分析データに関するグラフを複数表示する際には、限られたモニタの広さに多数のグラフを表示することになる。したがって、一つのグラフの表示領域が狭くなってしまう。また、レイアウトの変更に制約があり、各分析に関する不要なデータも同時に表示されてしまうので、モニタの表示領域を無駄に使用してしまうこともあった。このため、十分な情報を得ることができず、各グラフをプリントアウトするなど、別の方法をとらざるを得なくなり、非効率であった。【０００９】
本発明は上記問題に鑑みて成されたものであり、分析データに基づく複数のグラフを比較する必要がある場合に、この比較作業に要するユーザの負担を軽減することを目的としている。
【課題を解決するための手段】
【００１０】
以上のようにして成された本発明に係るデータ解析システムは、分析データに基づく複数のグラフをモニタ上に並べて表示する機能を有するデータ解析システムであって、
少なくともモニタ上に表示する複数のグラフの種類と該各グラフの表示位置とを含むレイアウト情報を記憶するレイアウト記憶部と、
グラフ表示指示の入力に基づき又は所定のタイミングで以て、前記レイアウト情報に基づき、分析データのグラフをモニタ上に表示するグラフ表示部と、
レイアウト変更指示の入力に基づき、モニタ上に表示するグラフの種類及び／又は該各グラフの表示位置を変更するレイアウト変更部と、
レイアウト記憶指示の入力に基づき又は所定のタイミングで以て、少なくともモニタ上に表示されているグラフの種類と各グラフの表示位置とをレイアウト情報として前記レイアウト記憶部に保存するレイアウト保存部と、
を備えることを特徴としている。【００１１】
また、本発明に係るデータ解析システムは、
複数データ表示指示の入力に基づき又は所定のタイミングで以て、分析データに基づく複数のグラフを複数の分析データに関して前記モニタ上に並べて表示する複数データ表示部を更に備えることが望ましい。【００１２】
更に、本発明に係るデータ解析システムは、好ましくは、
前記レイアウト記憶部に保存されているレイアウト情報が、更に、グラフの種類間の関連情報を有しており、
モニタ上に表示されている一つのグラフに関して表示形態変更指示が入力されたことに基づき、該グラフの表示形態を変更するとともに、前記レイアウト情報を参照し、モニタ上に表示されている他の関連するグラフの表示形態を連動変更する表示形態連動変更部
を更に備えた構成とすることもできる。
【発明の効果】
【００１３】
本発明に係るデータ解析システムでは、複数のグラフをモニタ上に並べて表示するシステムにおいて、どの種類のグラフをどの位置に表示するのかを指示するレイアウト情報をレイアウト記憶部に記憶させている。そして、分析ファイルに基づくグラフを新規にモニタ上に表示させる際には、グラフ表示部はそのレイアウト情報に記されている種類のグラフを同じくレイアウト情報に記されている位置に表示させる。従って、上記（問題１）が解決される。
また、レイアウト保存部は、現時点でモニタ上に表示されているグラフの種類やその表示位置をレイアウト情報としてレイアウト記憶部に保存させるから、ユーザが作業しやすいレイアウトを保存して、それを再現することが可能となる。故に、複数のグラフの比較作業を行う際の作業効率が格段に向上する。【００１４】
また、本発明に係るデータ解析システムが、表示したいグラフの種類を任意に選択できる機能を備えることにより、複数の分析データを比較する場合でも、必要なグラフのみを表示し、比較する最適なレイアウトを作成することができる。従って、上記（問題２）が解決される。【００１５】
更に、本発明に係るデータ解析システムが表示形態連動変更部を備えた構成とすることにより、グラフの表示形態を一つ一つ手作業で行う手間が解消されるから、グラフ同士の比較をより効果的に行うことができるようになる。
具体的には例えばLCクロマトグラム、MSクロマトグラム、MSスペクトルといった互いに関連し合う複数のグラフをモニタ上に並べて表示させた状態で、ＬＣクロマトグラムを時間軸方向に拡大表示させると、同じ時間軸を有するＭＳクロマトグラムも同様に拡大表示されるといった連動表示が可能となる。また、複数の分析データに関する複数のグラフについても同様に連動表示させることにより、スクリーニング作業などを高い効率で以て行うことが可能となる。
【図面の簡単な説明】
【００１６】
【図１】本発明に係るデータ解析システムの一実施例のハードウェア構成を示す図。
【図２】本発明の一実施例におけるレイアウト情報の概念図。
【図３】本発明の一実施例における画面表示の一例。
【図４】本発明の一実施例におけるレイアウト情報の更新の概念図。
【図５】本発明の一実施例における画面表示の他の例。
【図６】本発明の一実施例における他のレイアウト情報の概念図。
【符号の説明】
【００１７】
１０…ＣＰＵ
１２…メモリ
１４…モニタ
１６…入力部
２０…記憶部
２１…データ解析プログラム
２２…レイアウト記憶部
２３…ＯＳ
２４…グラフ表示部
２５…レイアウト変更部
２６…レイアウト保存部
２７…複数データ表示部
２８…表示形態連動変更部
ＮＷ…ネットワークケーブル
【発明を実施するための最良の形態】
【００１８】
以下、本発明に係るデータ解析システムの実施例について図面を参照しつつ説明を行う。【００１９】
図１に本発明の一実施例に係るデータ解析システムのハードウェア構成を示す。中央演算処理装置であるＣＰＵ１０にメモリ１２、ＣＲＴ（Cathode Ray Tube）やＬＣＤ（Liquid Crystal Display）等から成るモニタ１４、キーボードやマウスなどの入力部１６、ハードディスクなどの記憶部２０が接続されている。そして記憶部２０には、データ解析プログラム２１、レイアウト記憶部２２、オペレーティングシステム（ＯＳ）２３が記憶されている。【００２０】
また、本実施例に係るデータ解析システムは、ネットワークケーブルＮＷを介して外部の分析装置（図示せず）に接続されている。本実施例では液体クロマトグラフ質量分析計（ＬＣ／ＭＳ）と接続されているものとするが、どのような種類の分析装置と接続されていても構わない。また、分析装置には一般的に計測装置と呼ばれる装置も含むものとする。ただし、本発明のデータ解析システムの特徴を活かすためには、ＬＣ／ＭＳやＧＣ／ＭＳといった、一回の分析に基づいて複数のグラフが作成されるような分析装置と接続することが好ましい。また、本発明のデータ解析システムにおいて扱うグラフは、ＬＣクロマトグラム、ＭＳクロマトグラム、ＭＳスペクトル、ＰＤＡクロマトグラム、ＰＤＡスペクトルをはじめとする各種のものが考えられ、特に限定されるものではない。【００２１】
さらに、本実施例ではデータ解析システムが分析装置と直接接続されていて、分析装置から分析データが出力されるシステム形態を想定するが、本発明では、分析データのデータ解析システムへの入力形態は特に問わない。例えば分析装置から出力された分析データを一旦ネットワーク上に設けられたデータサーバに蓄積するような分析システムにおいて本発明のデータ解析システムを利用するような場合においては、データ解析システムがそういったデータサーバと接続されていてももちろん構わない。【００２２】
図１にはデータ解析プログラムに係るように、グラフ表示部２４、レイアウト変更部２５、レイアウト保存部２６、複数データ表示部２７、表示形態連動変更部２８が示されているが、これらはいずれも基本的にはＣＰＵ１０がデータ解析プログラム２１を実行することによってソフトウェア的に実現される構成である。【００２３】
レイアウト記憶部２３について説明する。レイアウト記憶部２３にはレイアウト情報が記憶されている。レイアウト情報は、モニタ１４上にどの種類のグラフを表示するか、そして各グラフをモニタ上の又はウィンドウ上におけるどの位置に表示するか、といった情報を含んでいる。なお、レイアウト情報には各グラフのモニタ１４上における表示サイズが含まれていても良い。
図２は本実施例におけるレイアウト情報の概念図である。図２に示すレイアウト情報には、グラフ表示枠が上下方向に三つ（１）〜（３）設けられていること、そして枠（１）はＬＣクロマトグラム、枠（２）はＭＳクロマトグラム、枠（３）はＭＳスペクトルとそれぞれ関連していることが記されている。【００２４】
次に、ユーザが本発明に係るデータ解析システムを用いてデータ解析を行う場合の、本実施例に係るデータ解析システムの動作（データ解析プログラム２１の動作）について、機能毎に説明を行う。【００２５】
［複数のグラフの表示］
ユーザが入力部１６を適宜に操作することによりグラフ表示指示を入力すると、このグラフ表示指示の入力を受けたグラフ表示部２４は、レイアウト記憶部２２に記憶されているレイアウト情報を参照する。ここでは、図２に示すようなレイアウトで以て、ＬＣクロマトグラム、ＭＳクロマトグラム、ＭＳスペクトルを表示するという情報を取得する。グラフ表示部２４はまた、図示せぬ分析装置（ＬＣ／ＭＳ）から出力される分析データを取得し、図３に示すように、モニタ１４上の所定のウィンドウ（ここでは「グラフ表示ウィンドウ」とする）においてこの分析データに基づくＬＣクロマトグラム、ＭＳクロマトグラム、ＭＳスペクトルをそれぞれ枠（１）〜（３）に表示させる。
グラフ表示部２４は上記のようにユーザが入力部１６を操作することによってグラフ表示指示が入力されたことに基づいてグラフの表示を行うほか、アプリケーションが起動されたタイミングや、分析装置が選択されたタイミングといった、予め定められたタイミングで以てレイアウト情報を参照してグラフの表示を行うようにしてもよい。
また、グラフ表示指示には、通常、どの分析データに関するグラフを表示させるかを指示する分析データ指示が含まれている。【００２６】
［レイアウトの変更］
図３に示すような、複数のグラフが並べて表示されているグラフ表示ウィンドウにおいてユーザがグラフの種類やその表示箇所を変更することもできる。いま、例えばユーザが入力部１６を適宜に操作することにより、枠（１）にＭＳスペクトル、枠（２）にＭＳクロマトグラムを表示させるための、グラフの種類の変更（枠数の変更）とグラフの表示位置の変更とから成るレイアウト変更指示を入力したとすると、レイアウト変更部２５はそのレイアウト変更指示に基づき、図４の左段に示すようにグラフ表示ウィンドウにおけるグラフの表示箇所を変更する。【００２７】
［レイアウトの保存］
グラフ表示ウィンドウの状態を保存させたい場合には、ユーザは入力部１６を操作する（例：レイアウト保存ボタン（非図示）を押下する）ことにより、レイアウト記憶指示を入力する。レイアウト保存部２６はこのレイアウト記憶指示の入力を受けると、モニタ１４上のグラフ表示ウィンドウに表示されているグラフの種類及び各グラフの表示位置をレイアウト情報としてレイアウト記憶部２２に保存する。このとき、レイアウト保存部２６はレイアウト情報を、既にレイアウト記憶部２２に保存されているレイアウト情報に対して上書き保存しても構わないし、一意の識別名等を付すこと等により別名にて保存しても構わない。別名で保存しておくことにより、レイアウト記憶部２２内に複数のレイアウトのパターンが登録されることになるから、例えばユーザがグラフ表示指示を入力する際に、レイアウト記憶部２２内の複数のうちから一つのレイアウト情報を指定することによって、簡単に所望のレイアウトで以て分析データのグラフを表示させることができるようになる。
また、レイアウト保存部２６がレイアウトを保存するタイミングは、ユーザによってレイアウト入力指示が入力された時点に限らず、グラフ表示ウィンドウが閉じられる時点や、アプリケーションが終了する時点といった予め定められた所定のタイミングとすることもできる。これによって、次にグラフ表示ウィンドウが開く際には、最後に表示されていたグラフのレイアウトが反映されるため、ユーザは、グラフ表示ウィンドウを開く度に逐一レイアウトを所望の形態に変更しなければならない煩わしさから解放される。【００２８】
［複数の分析データの表示］
以上に述べた例では、グラフ表示ウィンドウに表示される複数のグラフが単一の分析データに基づくものであった。本発明に係るデータ解析システムの一実施例では、複数データ表示部２７を備えており、これによって、一つの分析データに関して複数のグラフが作成できる場合（例えば上記のように、一つの分析データからＬＣクロマトグラム、ＭＳクロマトグラム、ＭＳスペクトルといった複数のグラフが作成されるような場合）において、複数の分析データを容易に比較することができる。
ユーザは入力部１６を操作する（例：モニタ１４上に表示させたい複数の分析データ名が指定された状態で複数データ表示ボタン（非図示）を押下する）ことにより、複数データ表示指示を入力する。複数データ表示部２７はこの複数データ表示指示を受けると、例えばネットワークケーブルＮＷを介して外部のサーバより指定された複数の分析データを取得し、図５に示すように複数のグラフをモニタ１４上のグラフ表示ウィンドウ内に表示させる。図５に示す例では、二つの分析データ（ここでは第一データ、第二データとする）に関するグラフが並べて表示されており、左上枠には第一データのＬＣクロマトグラム、左中枠には第一データのＭＳクロマトグラム、左下枠には第一データのＭＳスペクトル、右上枠には第二データのＬＣクロマトグラム、右中枠には第二データのＭＳクロマトグラム、右下枠には第二データのＭＳスペクトルが表示されている。すなわち、左右のグラフを比較することによって、容易に第一データ及び第二データの比較を行うことが可能となっている。
なお、複数データ表示部２７がグラフを表示させるタイミングは、複数データ表示指示が入力された場合に限らず、例えばアプリケーションが起動した時点など、予め定められた所定のタイミングとすることもできる。【００２９】
複数データ表示部２７がグラフ表示ウィンドウに表示させるグラフの種類やその表示位置は、図６に示すようなレイアウト情報をレイアウト記憶部に保存しておき、複数データ表示部２７がそのレイアウト情報を参照することによって決定すればよい。図６の例では左枠の列がＡのデータ、右枠の列がＢのデータと対応付けられている。そして、上段よりそれぞれＬＣクロマトグラム、ＭＳクロマトグラム、ＭＳスペクトルが指定されている。【００３０】
また、複数データ表示部２７は、（例えば図２に示すような）単一の分析データに関するレイアウト情報に基づいて、複数の分析データに関するグラフを表示するようにすることもできる。例えば、図２に示すような単一の分析データに関するレイアウト情報では、縦方向に分割された枠に三種類のグラフが表示されている。これと同一のレイアウトを右側、又は左側に設けることにより、複数の分析データに関するグラフが、ユーザにとって比較しやすい形態で以て作成される。
なお、複数データ表示部２７が扱うのは三つ以上の分析データであってももちろん構わない。【００３１】
［表示形態の連動変更］
次に、本実施例に係るデータ解析システムの備える表示形態連動変更部２８について説明する。
ユーザが入力部１６を操作する（例：ＬＣクロマトグラムに関して所定の領域を選択して拡大ボタン（非図示）を押下する）ことによってモニタ１４上に表示されているあるグラフの表示形態変更指示が入力されると、表示形態連動変更部２８はレイアウト記憶部２２に保存されているレイアウト情報に含まれているグラフの種類間の関連情報を参照する。この関連情報には異なる種類のグラフ間でどのように表示形態を連動させるかを示す情報が含まれている。例えば、ＬＣクロマトグラム、ＭＳクロマトグラム、ＭＳスペクトルの三種類のグラフに関して、ＬＣクロマトグラム及びＭＳクロマトグラムでは両者の表示形態を完全に連動させ（表示箇所及びスケールを揃える）、ＭＳスペクトルについては表示形態を独立させるという情報である。なお、関連情報はレイアウト情報自体に含まれていても良いし、レイアウト情報とは別個に設けられていても良い。【００３２】
表示形態連動変更部２８は前記表示形態変更指示に基づき、ＬＣクロマトグラムの表示形態を変更するとともに、上記関連情報に基づき、ＭＳクロマトグラムの表示形態を同様に変更する。ＭＳスペクトルについては表示形態を変更しない。【００３３】
表示形態連動変更部２８は、例えば図５に示すようにモニタ１４上に複数の分析データに関するグラフが表示されている場合であっても同様に、一つのグラフに関して表示形態変更指示の入力があった際には、モニタ１４上に表示されている全ての関連するグラフの表示形態を変更する。例えば、関連情報が上記と同様である場合、第一データのＭＳクロマトグラムに関して表示形態変更指示が入力されると、表示形態連動変更部２８は、第一データのＭＳクロマトグラム及びＬＣクロマトグラム、更に第二データのＭＳクロマトグラム及びＬＣクロマトグラムの表示形態を連動して変更する。【００３４】
なお、表示形態連動変更部２８は、常に連動表示を行うのではなく、モニタ１４上に表示されている一又は複数のグラフに関して連動停止指示が付与されている場合には、その連動停止指示が付与されたグラフを除いたグラフのみの表示形態を連動変更するようにすればよい。【００３５】
以上、本発明に係るデータ解析システムについて実施例を用いて説明したが、上記は例に過ぎないことは明らかであり、本発明の趣旨の範囲内で適宜に変更や修正、又は追加を行っても構わない。【００３６】
例えばＬＣ／ＭＳでは、ＬＣによる分析後、ＭＳによる分析が実行される。従ってＬＣクロマトグラムとＭＳクロマトグラムとでは時間的にピークの出現に若干のずれが生じる。そこで、モニタ１４上に表示される両グラフの時間軸を適宜にずらすようにしてもよい。これにより、ユーザは比較をより一層行いやすくなる。【００３７】
また、上記実施例では各グラフが枠内に表示されていたが、本発明に係るデータ解析システムでは、必ずしも各グラフを固定した枠で区切る必要はなく、各枠の大きさをユーザが自由に変更できるようにしてもよい。又は、グラフ表示ウィンドウ内において各グラフが独立した個別ウインドウに表示されるようにしても構わない。
【図１】
2009025004.tif 000003
【図２】
2009025004.tif 000004
【図３】
2009025004.tif 000005
【図４】
2009025004.tif 000006
【図５】
2009025004.tif 000007
【図６】
2009025004.tif 000008
【手続補正書】
【提出日】平成21年12月8日(2009.12.8)
【手続補正１】
【補正対象書類名】特許請求の範囲
【補正対象項目名】全文
【補正方法】変更
【補正の内容】
【特許請求の範囲】
【請求項１】
異種の分析装置による分析の結果得られる、分析データに基づく複数のグラフをモニタ上に並べて表示する機能を有するデータ解析システムであって、
少なくともモニタ上に表示する複数のグラフの種類と該各グラフの表示位置とを含むレイアウト情報を記憶するレイアウト記憶部と、
グラフ表示指示の入力に基づき又は所定のタイミングで以て、前記レイアウト情報に基づき、分析データのグラフをモニタ上に表示するグラフ表示部と、
レイアウト変更指示の入力に基づき、モニタ上に表示するグラフの種類及び／又は該各グラフの表示位置を変更するレイアウト変更部と、
レイアウト記憶指示の入力に基づき又は所定のタイミングで以て、少なくともモニタ上に表示されているグラフの種類と各グラフの表示位置とをレイアウト情報として前記レイアウト記憶部に保存するレイアウト保存部と、
を備えることを特徴とするデータ解析システム。
【請求項２】
複数データ表示指示の入力に基づき又は所定のタイミングで以て、分析データに基づく複数のグラフを複数の分析データに関して前記モニタ上に並べて表示する複数データ表示部
を更に備えることを特徴とする請求項１に記載のデータ解析システム。
【請求項３】
前記複数データ表示部が、単一の分析データに関するレイアウト情報に基づき、分析データに基づく複数のグラフを複数の分析データに関してモニタ上に並べて表示する
ことを特徴とする請求項２に記載のデータ解析システム。
【請求項４】
前記レイアウト記憶部に保存されているレイアウト情報が、更に、グラフの種類間の関連情報を有しており、
モニタ上に表示されている一つのグラフに関して表示形態変更指示が入力されたことに基づき、該グラフの表示形態を変更するとともに、前記レイアウト情報を参照し、モニタ上に表示されている他の関連するグラフの表示形態を連動変更する表示形態連動変更部
を更に備えることを特徴とする請求項１〜３のいずれかに記載のデータ解析システム。
【請求項５】
モニタ上に表示されている一又は複数のグラフに関して連動停止指示が付与されている場合には、前記表示形態連動変更部は、該連動停止指示が付与されたグラフを除いたグラフの表示形態を連動変更する
ことを特徴とする請求項４に記載のデータ解析システム。
【国際調査報告】
2009025004.tif 000009
2009025004.tif 000010